(57)【特許請求の範囲】
【請求項１】
献立を作成する献立作成システムであって、
利用者が使用する端末情報が記憶されている利用者情報記憶部と、
前記献立に沿って提供された料理の画像を撮影する画像撮影部と、
前記画像撮影部にて撮影された料理の画像情報の送信元を特定し、前記利用者情報記憶部から当該送信元の端末情報と関連を有し前記料理の喫食者に関係する喫食関係者が使用する喫食関係者端末を特定して、当該喫食関係者端末に前記画像撮影部にて撮影された前記料理の画像を配信する画像配信部と、
前記配信された料理の画像情報から前記料理の画像を表示する表示部と、
前記表示部に表示された前記料理の画像に対する反応情報を入力する反応入力部と、
前記反応入力部にて入力された反応情報を収集する反応収集部と、
前記反応収集部にて収集された反応情報を記憶する反応記憶部と、
料理情報が記憶されている料理記憶部と、
前記反応記憶部に記憶された反応情報を用いて、前記料理記憶部に記憶されている料理情報を選定して献立を作成する献立作成部と、
を備える献立作成システム。
【請求項２】
前記反応入力部は、前記反応情報として喫食者の嗜好に関係する嗜好情報を入力可能である請求項１に記載の献立作成システム。
【請求項３】
前記反応入力部は、前記反応情報として喫食者のアレルギ反応に関するアレルギ情報を入力可能である請求項１又は２に記載の献立作成システム。
【請求項４】
前記反応入力部はタッチパネルであり、前記配信された前記料理の画像上でのジェスチャに応じた前記反応情報の入力が可能である請求項１から３のいずれか一項に記載の献立作成システム。
【請求項５】
前記反応入力部はマイクを有し、前記喫食関係者の音声に応じた前記反応情報の入力が可能である請求項１から４のいずれか一項に記載の献立作成システム。
【請求項６】
前記画像配信部は、前記画像撮影部にて撮影された前記料理の画像から、１又は複数の料理を識別して、識別された料理情報を付加した前記料理の画像情報を前記喫食関係者端末に配信し、
前記反応入力部は、前記識別された料理ごとに反応を入力可能である請求項１から５のいずれか一項に記載の献立作成システム。
【請求項７】
献立を作成する献立作成装置であって、
利用者が使用する端末情報が記憶されている利用者情報記憶部と、
前記献立に沿って提供された料理の画像情報を取得する画像取得部と、
前記画像取得部にて取得した前記料理の画像情報の送信元を特定し、前記利用者情報記憶部から当該送信元の端末情報と関連を有し前記料理の喫食者に関係する喫食関係者が使用する喫食関係者端末を特定して、当該喫食関係者端末に前記画像撮影部にて撮影された前記料理の画像を配信する画像配信部と、
前記配信された料理の画像に対する反応情報を収集する反応収集部と、
前記反応収集部にて収集された反応情報を記憶する反応記憶部と、
料理情報が記憶されている料理記憶部と、
前記反応記憶部に記憶された反応情報を用いて、前記料理記憶部に記憶されている料理情報を選定して献立を作成する献立作成部と、
を備える献立作成装置。
【請求項８】
献立を作成する献立作成方法であって、
前記献立に沿って提供された料理の画像情報を取得する画像取得工程と、
前記画像取得工程にて取得した前記料理の画像情報の送信元を特定し、利用者が使用する端末情報が記憶されている利用者情報記憶部から当該送信元の端末情報と関連を有し前記料理の喫食者に関係する喫食関係者が使用する喫食関係者端末を特定して、当該喫食関係者端末に前記画像撮影部にて撮影された前記料理の画像を配信する画像配信工程と、
前記配信された料理の画像に対する反応情報を収集する反応収集工程と、
前記反応収集工程にて収集された反応情報を反応記憶部に記憶する反応記憶工程と、
前記反応記憶部に記憶された反応情報を用いて、料理情報が記憶されている料理記憶部に記憶されている料理情報を選定して献立を作成する献立作成工程と、
をコンピュータにより実行する献立作成方法。
【請求項９】
献立を作成する献立作成プログラムであって、
前記献立に沿って提供された料理の画像情報を取得する画像取得工程と、
前記画像取得工程にて取得した前記料理の画像情報の送信元を特定し、利用者が使用する端末情報が記憶されている利用者情報記憶部から当該送信元の端末情報と関連を有し前記料理の喫食者に関係する喫食関係者が使用する喫食関係者端末を特定して、当該喫食関係者端末に前記画像撮影部にて撮影された前記料理の画像を配信する画像配信工程と、
前記配信された料理の画像に対する反応情報を収集する反応収集工程と、
前記反応収集工程にて収集された反応情報を反応記憶部に記憶する反応記憶工程と、
前記反応記憶部に記憶された反応情報を用いて、料理情報が記憶されている料理記憶部に記憶されている料理情報を選定して献立を作成する献立作成工程と、
をコンピュータにより実行させる献立作成プログラム。
【発明の詳細な説明】
【技術分野】
【０００１】
本開示は、献立を作成する献立作成システム、献立作成装置、献立作成方法、献立作成プログラムに関する。
【背景技術】
【０００２】
従来から、予め用意された料理リストなどの中から、いくつかの料理を選択し、栄養バランスの良い献立を作成する献立作成システムが種々提案されている。例えば、主食、主菜、副菜等のカテゴリーごとに利用者が食材や調理法を選択すると、それに対応するメニューの候補を提示され、利用者がその候補の中からメニューを選択すると、そのメニューについての栄養情報が所定の基準を満たしているか否かを判定し、所定の基準を満たしていない場合には、利用者に料理を選び直すように指示する献立提案システムがある（特許文献１を参照）。
【先行技術文献】
【特許文献】
【０００３】
【特許文献１】特開２０１２−２０３８３４号公報
【発明の概要】
【発明が解決しようとする課題】
【０００４】
しかしながら、特許文献１記載の技術のように栄養バランス等を考慮して一方的に献立を提案するシステムはあるが、実際にその提案された献立の料理を食してみたときに、利用者が想像していた味と異なっていたり、アレルギ反応が出たり等、提案された料理を必ずしも利用者が満足するとは限らない。
【０００５】
特に保育園や学校等の給食のように、多人数に提供する料理に関しては個人の嗜好やアレルギ反応を収集するのは容易ではない。
【０００６】
本開示はこのような問題点を解決するためになされたもので、その目的とするところは、献立に沿った料理に対する利用者の反応を容易に収集し、献立作成に反映することで、より利用者に適した献立を作成することができる献立作成システム、献立作成装置、献立作成方法、献立作成プログラムを提供することにある。
【課題を解決するための手段】
【０００７】
上記した目的を達成するために、本発明に係る献立作成システムでは、献立を作成する献立作成システムであって、前記献立に沿って提供された料理の画像を撮影する画像撮影部と、前記画像撮影部にて撮影された料理の画像情報を、前記料理の喫食者に関係する喫食関係者が使用する喫食関係者端末に配信する画像配信部と、前記配信された料理の画像情報から前記料理の画像を表示する表示部と、前記表示部に表示された前記料理の画像に対する反応情報を入力する反応入力部と、前記反応入力部にて入力された反応情報を収集する反応収集部と、前記反応収集部にて収集された反応情報を記憶する反応記憶部と、前記反応記憶部に記憶された反応情報を用いて献立を作成する献立作成部と、を備える。
【０００８】
また、上記献立作成システムにおいて、前記反応入力部は、前記反応情報として喫食者の嗜好に関係する嗜好情報を入力可能であってもよい。
【０００９】
また、上記献立作成システムにおいて、前記反応入力部は、前記反応情報として喫食者のアレルギ反応に関するアレルギ情報を入力可能であってもよい。
【００１０】
また、上記献立作成システムにおいて、前記反応入力部はタッチパネルであり、前記配信された前記料理の画像上でのジェスチャに応じた前記反応情報の入力が可能であってもよい。
【００１１】
また、上記献立作成システムにおいて、前記反応入力部はマイクを有し、前記喫食関係者の音声に応じた前記反応情報の入力が可能であってもよい。
【００１２】
また、上記献立作成システムにおいて、前記画像配信部は、前記画像撮影部にて撮影された前記料理の画像から、１又は複数の料理を識別して、識別された料理情報を付加した前記料理の画像情報を前記喫食関係者端末に配信し、前記反応入力部は、前記識別された料理ごとに反応を入力可能であってもよい。
【００１３】
また、上記した目的を達成するために、献立を作成する献立作成装置であって、前記献立に沿って提供された料理の画像情報を取得する画像取得部と、前記画像取得部にて取得した前記料理の画像情報を、前記料理の喫食者に関係する喫食関係者が使用する喫食関係者端末に配信する画像配信部と、前記配信された料理の画像に対する反応情報を収集する反応収集部と、前記反応収集部にて収集された反応情報を記憶する反応記憶部と、前記反応記憶部に記憶された反応情報を用いて献立を作成する献立作成部と、を備える。
【００１４】
また、上記した目的を達成するために、本発明に係る献立作成方法では、献立を作成する献立作成方法であって、前記献立に沿って提供された料理の画像情報を取得する画像取得工程と、前記画像取得工程にて取得した前記料理の画像情報を、前記料理の喫食者に関係する喫食関係者が使用する喫食関係者端末に配信する画像配信工程と、前記配信された料理の画像に対する反応情報を収集する反応収集工程と、前記反応収集工程にて収集された反応情報を反応記憶部に記憶する反応記憶工程と、前記反応記憶部に記憶された反応情報を用いて献立を作成する献立作成工程と、をコンピュータにより実行する。
【００１５】
また、上記した目的を達成するために、本発明に係る献立作成プログラムでは、献立を作成する献立作成プログラムであって、前記献立に沿って提供された料理の画像情報を取得する画像取得工程と、前記画像取得工程にて取得した前記料理の画像情報を、前記料理の喫食者に関係する喫食関係者が使用する喫食関係者端末に配信する画像配信工程と、前記配信された料理の画像に対する反応情報を収集する反応収集工程と、前記反応収集工程にて収集された反応情報を反応記憶部に記憶する反応記憶工程と、前記反応記憶部に記憶された反応情報を用いて献立を作成する献立作成工程と、をコンピュータにより実行させる。
【発明の効果】
【００１６】
上記手段を用いる本発明によれば、献立に沿った料理に対する利用者の反応を容易に収集し、献立作成に反映することで、より利用者に適した献立を作成することができる。
【図面の簡単な説明】
【００１７】
【図１】本発明の一実施形態に係る献立作成システムを示すシステム構成図である。
【図２】本発明の一実施形態における献立作成ルーチンを示すフローチャートである。
【図３】第２情報端末の表示部に表示される料理の画像の第１表示例である。
【図４】第２情報端末の表示部に表示される料理の画像の第２表示例である。
【発明を実施するための形態】
【００１８】
以下、本発明の一実施形態を図面に基づき説明する。
【００１９】
図１は本発明の一実施形態に係る献立作成システムを示すシステム構成図であり、以下、同図に沿って説明する。
【００２０】
図１に示すように、本実施形態の献立作成システム１は、利用者（教職員、園児、保護者、等）が所属する保育園Ａに対して、給食提供事業者Ｂが給食の献立を作成するシステムを例に説明する。献立作成システム１は、インターネット等の通信網ＮＷを介して、保育園Ａの教職員Ｔ等の保育園関係者が使用する第１情報端末１０と、給食を喫食する園児の保護者Ｐ等の喫食関係者が使用する第２情報端末２０と、給食提供事業者Ｂが管理する管理サーバ３０（献立作成装置）と、が接続されている。なお、説明の簡略化のため図では保育園Ａ側において教職員１名、保護者１名を例に説明するが、保育園や教職員、保護者の数はこれに限られず、管理サーバ３０は通信網ＮＷを介してさらに多くの利用者と接続可能である。特に管理サーバ３０は、実際には複数の第２情報端末２０と接続されている。なお、教職員には、保育園内のクラスを担任する教諭の他にも事務員等の関係者も含まれる。
【００２１】
第１情報端末１０は、例えばスマートフォン、タブレット、携帯電話、ＰＣ（パーソナルコンピュータ）のような通信機能を有する情報端末であり、少なくとも画像撮影部１１を有している。
【００２２】
画像撮影部１１は、例えばカメラ等の光学機器であり、献立に沿って提供された料理の画像を撮影可能である。なお、当該画像は静止画像だけでなく、動画像であってもよい。また、第１情報端末１０は撮影した画像情報を管理サーバ３０に送信可能である。
【００２３】
第２情報端末２０は、第１情報端末１０と同様にスマートフォン、タブレット、携帯電話、ＰＣのような通信機能を有する情報端末であり、少なくとも、表示部２１、操作部２２（反応入力部）を有している。
【００２４】
表示部２１は、管理サーバ３０から配信される料理の画像情報を表示可能な部分であり、操作部２２は配信された画像情報に対する反応（反応情報）を入力可能な部分である。当該表示部２１と操作部２２は、例えばスマートフォン、タブレットのようなタッチパネルを備えた情報端末では表示部２１と操作部２２を一体に構成される。また、携帯電話やＰＣの場合は、表示部２１としてのディスプレイと、操作部２２としてのテンキー、キーボード、マウス、をそれぞれ別体に構成されていてもよい。
【００２５】
操作部２２により入力可能な反応情報としては、例えば画像に写された料理に対する喫食の有無の反応、好き嫌い等の嗜好反応、画像に写された料理を喫食後のアレルギ反応（湿疹、発疹、かゆみ、喘息、息切れ、鼻水、吐き気、嘔吐、腹痛、下痢、けいれん、等）の有無等がある。具体的な入力方法としては、例えば表示部２１に料理の画像とともに「食べていない」、「好き」、「嫌い」、「アレルギ反応有り」等の選択項目が表示され、当該選択項目を選択する方法や、料理の画像に対するジェスチャ操作に応じて、その料理の好き嫌いを判定する方法がある。当該ジェスチャ操作としては、例えば円を描くジェスチャは「好き」と判定し、十字を描くジェスチャは「嫌い」、三角を描くジェスチャは「普通」と判定する。さらに、操作部２２としてマイクを有し、音声認識機能により園児又は保護者Ｐの「好き」「嫌い」に関係する言葉を識別して、料理の好き嫌いを判定してもよい。また、アレルギ反応の有無を示す情報として、第２情報端末２０が有する図示しない画像撮影部により、アレルギ症状が現れている患部を撮影した画像を反応情報に含めてもよい。
【００２６】
管理サーバ３０は、プログラムに基づき献立作成処理を実行する１又は複数のサーバ（コンピュータ）から構成されている。具体的には、画像取得部３１、画像配信部３２、利用者データベース３３（反応情報記憶部）、反応収集部３４、献立作成部３５、料理データベース３６（以下、データベースは「ＤＢ」と表記する）を有している。
【００２７】
画像取得部３１は、画像撮影部１１にて撮影した料理の画像情報を、第１情報端末１０から取得する機能を有している。
【００２８】
画像配信部３２は、画像取得部３１にて取得した料理の画像情報を第２情報端末２０に配信する機能を有している。詳しくは、画像配信部３２は利用者ＤＢ３３と接続されており、画像配信部３２は、取得した画像に写る料理を喫食した園児の保護者Ｐ１に当該画像情報を配信すべく、利用者ＤＢ３３から配信対象者を特定して、特定された配信対象者に画像情報を配信する。
【００２９】
利用者ＤＢ３３には、保育園Ａに所属する教職員ごとに教職員に関する教職員情報が記憶されている。教職員情報としては、例えば、教職員の氏名やＩＤ、当該教職員が使用する第１情報端末１０に対応したＩＤやメールアドレス等の端末情報、所属保育園、担任クラス、担任クラスに所属する園児の園児情報、等が含まれる。
【００３０】
また、利用者ＤＢ３３には、園児ごとに園児に関係する園児情報も記憶されている。園児情報としては、例えば、園児の氏名、住所やＩＤ、保護者の氏名、当該保護者が使用する第２情報端末２０に対応したＩＤやメールアドレス等の端末情報、所属保育園、所属クラス、担任の教職員情報、献立情報、喫食の有無等の喫食情報、園児の好きな料理又は食材、嫌いな料理又は食材等の嗜好情報、園児が保有するアレルギ情報、その日の気温、湿度、天気等の環境情報、等が含まれる。なお、献立情報には、提供する料理名、食材、各食材の産地や栄養素等の料理情報と、料理を提供する日付情報等が含まれている。
【００３１】
画像配信部３２は、画像取得部３１にて取得した料理の画像情報の送信元である第１情報端末１０を利用者ＤＢ３３の教職員情報から特定し、当該教職員が担任を務めているクラスの園児情報から各園児の保護者Ｐの第２情報端末２０を特定する。これにより、画像配信部３２は、園児が喫食した料理の画像情報を保護者Ｐの第２情報端末２０に配信する。
【００３２】
また、画像配信部３２は、園児情報に含まれる献立情報に基づいて、又は画像解析により、画像に写されている料理を自動的に識別して、画像に写されている料理の料理情報（料理名、食材、各食材の産地や栄養素、等）を画像情報に付加して配信する。さらに、料理の画像情報とともに、「今日の給食はどうでしたか？」等、当該料理に対する反応を促すメッセージ情報を付加してもよい。
【００３３】
また、画像配信部３２は、料理の画像情報を第２情報端末２０に配信する時間を任意の時間に設定することが可能である。例えば、園児が帰宅する時間に合わせて配信を行ったり、夕食時に合わせて配信を行ったりしてもよい。
【００３４】
反応収集部３４は、第２情報端末２０の操作部２２にて入力された料理に対する反応情報を収集する機能を有している。また、反応収集部３４は、収集した反応情報を利用者ＤＢ３３の各園児情報の喫食情報、嗜好情報、アレルギ情報等に反映する機能を有している。
【００３５】
献立作成部３５は、反応情報が反映された利用者ＤＢ３３に記憶されている喫食情報、嗜好情報、アレルギ情報等と、料理ＤＢ３６に記憶されている料理情報を用いて献立を作成する機能を有している。例えば献立作成部３５は、月毎の献立を作成する場合、料理ＤＢ３６の情報に基づいてベースとなる献立を作成した後、利用者ＤＢ３３に記憶されている喫食情報、嗜好情報、アレルギ情報等に基づいて、クラス内の園児が嫌いな料理又は食材やアレルギのある食材を少なくするように、献立の料理を組み替えることで、最終的な月の献立を作成する。作成した献立は保育園Ａに提供される。なお、具体的な献立の作成手順はこれに限られるものではなく、園児が嫌いな食材を克服すべく、園児が嫌いな食材を使った料理を敢えて献立に組み入れたりしてもよい。
【００３６】
料理ＤＢ３６には、献立に組み込むことが可能な料理情報が記憶されている。料理情報には、料理名、食材、各食材の産地や栄養素、等に関する情報が含まれる。また、料理ＤＢ３６には、各料理に対応して、画像取得部３１において取得した料理の画像や、予め準備された料理の画像等も記憶されている。なお、本実施形態では利用者ＤＢ３３と料理ＤＢ３６を別体として記載しているが、それぞれの情報を一体とし記憶したＤＢであってもよい。
【００３７】
このように構成された本実施形態の献立作成システム１では、園児が喫食した料理の画像を保護者Ｐの第２情報端末２０に配信して、その料理の反応情報を収集して、当該反応情報に基づいた献立を作成可能である。
【００３８】
ここで図２から図４を参照すると、図２には本発明の一実施形態における献立作成ルーチンを示すフローチャートが示されており、図３には第２情報端末の表示部に表示される料理の画像の第１表示例が、図４には第２表示例が、それぞれ示されている。以下、図２のフローチャートに沿い、途中図３、４を参照しつつ、本実施形態の献立作成の流れを説明する。
【００３９】
まず献立作成ルーチンのステップＳ１では、保育園Ａの教職員Ｔが、給食配膳時に第１情報端末１０の画像撮影部１１により、配膳された料理の画像を撮影し、当該画像情報を管理サーバ３０に送信する。
【００４０】
次にステップＳ２では、ステップＳ１にて第１情報端末１０から送信された料理の画像情報を、管理サーバ３０の画像取得部３１が取得する（画像取得工程）。
【００４１】
そして、ステップＳ３において、画像配信部３２は、取得した料理の画像情報と利用者ＤＢ３３に記憶された情報とから、当該料理を喫食した園児の保護者Ｐの第２情報端末２０を特定して、当該料理の画像情報を配信する（画像配信工程）。
【００４２】
ステップＳ４では、料理の画像情報を受信した第２情報端末２０において、表示部２１により料理の画像を表示し、園児又は保護者Ｐが操作部２２を介して反応情報を入力する。
【００４３】
具体的には、まず図３の第１表示例に示すように、タッチパネル式のタブレットである第２情報端末２０の表示部２１に、料理の画像が表示される。この日の献立に沿った料理は、ご飯、みそ汁、コロッケ、千切りキャベツ、野菜（ほうれん草）のおひたしであり、画像下にて各料理名も表示されている。なお、低年齢の園児でも認識可能に料理名やメッセージの文字は平易に表記（ひらがな表記）されている。また、料理名の横には詳細ボタンｄも表示され、当該詳細ボタンｄをタップすると、例えば各料理で使用されている食材や栄養素等の詳細情報が表示可能である。
【００４４】
さらに、例えば料理の画像に写し出されている料理の内の一部をタップすることにより、図４の第２表示例に示すように、その料理（図４ではコロッケ）の画像が拡大し、当該料理の嗜好を問い合わせるメッセージ（図４では「今日のコロッケはどうでしたか？」）と選択肢（図４では「好き」「普通」「嫌い」「食べていない」）が表示される。園児又は保護者Ｐは、この選択肢をタップ等して選ぶことで反応情報を入力する。また、例えばこの料理の画像部分に対するジェスチャ操作や音声により反応情報を入力してもよい。
【００４５】
また、図４には、図３と同様に詳細ボタンｄが表示されているとともに、その下にアレルギ反応ボタンａが表示されている。例えば、帰宅した園児にアレルギ反応と思われる症状があった場合、保護者Ｐはこのアレルギ反応ボタンａを選択する。アレルギ反応ボタンａが選択されたときは、さらにその症状（湿疹、発疹、かゆみ、喘息、息切れ、鼻水、吐き気、嘔吐、腹痛、下痢、けいれん、等）を選択可能としてもよいし、単にアレルギ反応の有無のみを反応情報としてもよい。
【００４６】
このようにして画像に写し出されている各料理又は一部の料理についての反応情報を入力し終わると自動的に、又は図示しない送信ボタン等を操作することで、入力された反応情報が管理サーバ３０に送信される。
【００４７】
そうすると、図２のステップＳ５として、管理サーバ３０の反応収集部３４は、各保護者Ｐが使用している第２情報端末２０からの反応情報を収集する（反応収集工程）。
【００４８】
そして、ステップＳ６として、反応収集部３４は、収集した反応情報を利用者ＤＢ３３に反映させる（反応記憶工程）。
【００４９】
次のステップＳ７では、献立作成部３５において、献立を作成するタイミングであるか否かを判定する。当該判定は、所定の時期（例えば毎月２０日の正午等）に達したときに真（Ｙｅｓ）と判定し、所定の時期に達していない場合は偽（Ｎｏ）と判定する。
【００５０】
ステップＳ７の判定結果が偽（Ｎｏ）である場合は、ステップＳ１に戻り、ステップＳ７の判定結果が真（Ｙｅｓ）となるまで、ステップＳ１からステップＳ６の処理を繰り返す。そして、ステップＳ７の判定結果が真（Ｙｅｓ）となると、ステップＳ８に進む。
【００５１】
ステップＳ８では、献立作成部３５が、反応情報が反映された利用者ＤＢ３３に記憶されている園児の嗜好情報やアレルギ情報と、料理ＤＢ３６に記憶されている料理情報を用いて献立を作成し（献立作成工程）、当該ルーチンをリターンする。
【００５２】
このように本実施形態の献立作成システム１では、園児が喫食する料理の画像情報を園児の保護者Ｐの第２情報端末２０に配信して、園児又は保護者Ｐに当該料理の反応情報を入力させる。そして、管理サーバ３０は、この反応情報を収集して利用者ＤＢ３３を更新し献立作成に反映させる。これにより、利用者の反応を容易に収集し、献立作成に反映することで、より利用者に適した献立を作成することができる。
【００５３】
特に、第２情報端末２０の操作部２２により、反応情報として喫食者である園児の嗜好に関する嗜好情報を入力可能であることで、園児の好みに応じた献立を作成することができる。また、反応情報としてアレルギ反応に関するアレルギ情報を入力可能であることで、園児のアレルギを避けた献立を作成することができる。
【００５４】
また、第２情報端末２０の操作部２２が、タッチパネルであり、配信された料理の画像上でのジェスチャに応じた反応情報の入力が可能であることで、直感的に反応情報を入力することができ、園児等が簡単に反応情報を入力することができる。
【００５５】
さらに、第２情報端末２０の操作部２２としてマイクを有し、園児又は保護者Ｐの音声に応じた反応情報の入力が可能であることで、より簡単に反応情報を入力することができる。
【００５６】
また、管理サーバ３０の画像配信部３２は、画像撮影部１１にて撮影された料理の画像から複数の料理を識別して第２情報端末２０に配信し、第２情報端末２０の操作部２２は、識別された料理ごとに反応を入力可能であることで、料理ごとに喫食者の嗜好情報やアレルギ情報に応じた献立を作成することができる。
【００５７】
以上で本発明の実施形態の説明を終えるが、本発明の態様はこの実施形態に限定されるものではない。
【００５８】
上記実施形態では、保育園に対する給食の提供を例に説明したが、本発明に係る献立作成システム、献立作成装置、献立作成方法、献立作成プログラム（以下、本発明に係る献立作成システム等という）の適用は、保育園の給食に限られるものではない。例えば、給食の提供先は保育園だけでなく、幼稚園、学校、会社、病院、等の他の組織であってもよく、第１情報端末はその組織の管理者等の組織関係者が使用する端末であり、第２情報端末は喫食者に関係する喫食関係者（喫食者自身も含む）が使用する端末（喫食関係者端末）である。
【００５９】
また献立作成部が作成する献立は給食に限られるものではない。例えば、献立作成部は家庭における日々の献立作成も可能である。例えば、図１の一点鎖線で示すように、献立作成部３６は、給食の献立の他に家庭での食事の献立も作成し、それに応じた料理情報及びその料理の画像情報を画像取得部３１に送ってもよい。それにより、画像配信部３２から第２情報端末２０に、夕食や朝食等の献立の料理情報及び画像が配信され、園児が当該献立に沿った料理を喫食した後に、配信された画像に対して反応情報を入力することで、反応収集部３４にて当該反応情報も利用者ＤＢに反映されることとなる。これにより、より利用者に適した献立を作成することができるようになる。
【００６０】
また、上記実施形態では、第１情報端末１０の画像撮影部１１により撮影した料理の画像情報を、一旦管理サーバ３０で取得して、管理サーバ３０から画像情報を第２情報端末へ配信しているが、画像情報の配信はこれに限られるものではない。例えば、第１情報端末から直接第２情報端末に画像情報の配信を行ってもよい。
【符号の説明】
【００６１】
１    献立作成システム
１０  第１情報端末
１１  画像撮影部
２０  第２情報端末
２１  表示部
２２  操作部（反応入力部）
３０  管理サーバ
３１  画像取得部
３２  画像配信部
３３  利用者データベース
３４  反応収集部
３５  献立作成部
３６  料理データベース
【要約】
【課題】献立に沿った料理に対する利用者の反応を容易に収集し、献立作成に反映することで、より利用者に適した献立を作成することができる献立作成システム、献立作成装置、献立作成方法、献立作成プログラムを提供すること。
【解決手段】献立作成システム１は、献立に沿って提供された料理の画像を撮影する画像撮影部１１と、画像撮影部１１にて撮影された料理の画像情報を料理の喫食者（園児）に関係する保護者Ｐが使用する第２情報端末２０に配信する画像配信部３２と、配信された料理の画像情報から料理の画像を表示する表示部２１と、表示部に表示された料理の画像に対する反応情報を入力する操作部２２と、操作部２２にて入力された反応情報を収集する反応収集部３４と、反応収集部３４にて収集された反応情報を記憶する利用者ＤＢ３３と、利用者ＤＢ３３に記憶された反応情報を用いて献立を作成する献立作成部３５と、を備える。
【選択図】図１【図１】
0006732311.tif 000002
【図２】
0006732311.tif 000003
【図３】
0006732311.tif 000004
【図４】
0006732311.tif 000005